(57)【要約】【課題】表示部に表示された被写体像を視認しながら適切に被写体を照明する。【解決手段】装置の前面に設けられ、被写体を撮影する撮影部１６と、前記装置の背面に設けられ、前記撮影部により撮影された被写体の画像を表示する表示部２２と、前記表示部の背面側から前記表示部を照明する照明部２４と、前記照明部を前記表示部の背面側の位置、または前記撮影部の近傍の位置の何れか一方に移動可能に支持する支持部１０と、前記照明部の背面側に位置し、前記照明部が前記撮影部の近傍の位置に移動された場合において、自然光を前記表示部の背面側に対して反射する反射部２６とを備える。【選択図】図１
2014042155.tif 000002
【特許請求の範囲】
【請求項１】
装置の前面に設けられ、被写体を撮影する撮影部と、
前記装置の背面に設けられ、前記撮影部により撮影された被写体の画像を表示する表示部と、
前記表示部の背面側から前記表示部を照明する照明部と、
前記照明部を前記表示部の背面側の位置、または前記撮影部の近傍の位置の何れか一方に移動可能に支持する支持部と、
前記照明部の背面側に位置し、前記照明部が前記撮影部の近傍の位置に移動された場合において、自然光を前記表示部の背面側に対して反射する反射部と
を備えることを特徴とする撮影装置。
【請求項２】
前記撮影部により前記被写体を接写することを特徴とする請求項１記載の撮影装置。
【請求項３】
前記照明部が前記撮影部の近傍の位置に移動された場合において、前記表示部と前記反射部とが近接するように前記表示部または前記反射部を移動させる移動部を備えることを特徴とする請求項１または２記載の撮影装置。
【請求項４】
前記表示部は、液晶表示素子を備えることを特徴とする請求項１〜３の何れか一項に記載の撮影装置。
【発明の詳細な説明】
【技術分野】
【０００１】
本発明は、撮影装置に関するものである。
【背景技術】
【０００２】
従来、バリアングル機構により背面液晶をカメラの前面に回動させ、撮影時の照明用光源として利用する撮影方法が知られている（例えば、特許文献１参照）。この撮影方法によれば、撮影時において照明光がレンズ鏡筒に遮られることがなく、適切に被写体を照明することができる。
【先行技術文献】
【特許文献】
【０００３】
【特許文献１】特開２０００−０７５３６３号公報
【発明の概要】
【発明が解決しようとする課題】
【０００４】
しかし、この撮影方法においては、被写体照明時において背面液晶に表示されている被写体の画像を視認することができなくなるという問題があった。
【０００５】
本発明の目的は、表示部に表示された被写体像を視認しながら適切に被写体を照明することができる撮影装置を提供することである。
【課題を解決するための手段】
【０００６】
本発明の撮影装置は、装置の前面に設けられ、被写体を撮影する撮影部と、前記装置の背面に設けられ、前記撮影部により撮影された被写体の画像を表示する表示部と、前記表示部の背面側から前記表示部を照明する照明部と、前記照明部を前記表示部の背面側の位置、または前記撮影部の近傍の位置の何れか一方に移動可能に支持する支持部と、前記照明部の背面側に位置し、前記照明部が前記撮影部の近傍の位置に移動された場合において、自然光を前記表示部の背面側に対して反射する反射部とを備えることを特徴とする。
【発明の効果】
【０００７】
本発明の撮影装置によれば、表示部に表示された被写体像を視認しながら適切に被写体を照明することができる。
【図面の簡単な説明】
【０００８】
【図１】実施の形態に係るデジタルカメラの背面及び上面を示す図である。
【図２】実施の形態に係るデジタルカメラの開閉機構を示す図である。
【図３】実施の形態に係るデジタルカメラの可動部材を示す図である。
【図４】実施の形態に係るデジタルカメラにおいてバックライトを液晶モニタから取り外した状態を示す図である。
【図５】実施の形態に係るデジタルカメラにおいてバックライトを液晶モニタから取り外した状態を示す図である。
【図６】実施の形態に係るデジタルカメラの可動部材を折り曲げた状態を上から視た図である。
【図７】実施の形態に係るデジタルカメラのバックライトを用いて被写体を照明する状態を示す図である。
【図８】実施の形態に係るデジタルカメラにおいて液晶表示部を反射部に近接させた状態を示す図である。
【発明を実施するための形態】
【０００９】
以下、図面を参照して本発明の実施の形態に係る撮影装置についてデジタルカメラを例に説明する。図１（ａ）は、実施の形態に係るデジタルカメラの背面を示す図であり、図１（ｂ）は、その上面を示す図である。図１（ａ）に示すように、デジタルカメラ２は、筐体４を備え、筐体４の背面の中央部には、表示画面５に画像を表示する矩形平面状の液晶モニタ６が収納されている。また、筐体４の背面の左端部には、液晶モニタ６を左右方向に開閉させることを可能とする開閉機構８が設けられている。また、開閉機構８の下部には、Ｌ字形状の可動部材１０が取付けられている。可動部材１０の具体的な動作や使用方法については後に詳しく説明する。また、筐体４の背面の右側には、マルチセレクタ１４が設けられている。
【００１０】
また、図１（ｂ）に示すように、筐体４の前面には、被写体光を図示しない撮像素子に入射させる撮影レンズ１６が設けられている。また、筐体４の上面には、電源ボタン１８、及びレリーズ指示を行うレリーズボタン２０が設けられている。
【００１１】
ここで、図１（ｂ）に示すように、液晶モニタ６は、筐体４の背面から最も離れた位置に表示画面５（図１（ａ）参照）を有する液晶表示部２２を備えている。また、液晶表示部２２よりも筐体４の背面に近い位置に液晶表示部２２の背面２２ａ側から液晶表示部２２を照明するバックライト２４を備え、筐体４の背面に最も近い位置に自然光を反射する反射膜２６ａを有する反射部２６を備えている。また、液晶モニタ６の左端部には、液晶表示部２２を筐体４の前後方向にスライドさせて反射部２６に近接または離間させるスライド機構２８が設けられている。
【００１２】
図２は、実施の形態に係るデジタルカメラ２の開閉機構８を示す図である。図２に示すように、開閉機構８は、筐体４の背面の左側側面に沿って縦方向に配置されたガイド軸３０、及びガイド軸３０の上下両端部を支持し、開閉機構８を筐体４の背面に固定する固定部材３２を有している。また、開閉機構８の中央部及び下部には、ガイド軸３０廻りに回動可能なＴ字形状のＴ字回動部材３４、及びＬ字形状のＬ字回動部材３６がそれぞれ設けられている。ここで、Ｔ字回動部材３４の中央部には、水平回動軸３８が設けられており、液晶モニタ６を構成する液晶表示部２２及び反射部２６を水平回動軸３８廻りに回動させることができる。また、Ｌ字回動部材３６の下側に位置する端部には、可動部材１０を取付ける取付軸４０が設けられており、可動部材１０を取付軸４０廻りに左右方向に回動させることができる。
【００１３】
図３は、実施の形態に係るデジタルカメラ２の可動部材１０を示す図である。図３に示すように、可動部材１０は、筐体４の背面下側に沿って横方向に延びる横方向部材４２、及び筐体４の背面に沿って縦方向に延びる縦方向部材４４を有している。ここで、横方向部材４２の左端部は、取付軸４０によってＬ字回動部材３６に取付けられている。また、横方向部材４２の右端部には、縦方向部材４４を取付ける取付軸４６が設けられており、縦方向部材４４は、取付軸４６によって時計廻りに回動可能なように横方向部材４２の右端部に取付けられている。
【００１４】
また、縦方向部材４４の上部には、水平回動軸４８が設けられており、バックライト２４を水平回動軸４８廻りに回動させることができる。このため、図１（ａ）、（ｂ）に示すように、バックライト２４が液晶モニタ６に収納されている場合、水平回動軸３８、４８廻りに液晶モニタ６を回動させることにより、バックライト２４を液晶モニタ６に収納したまま表示画面５の向きを変更することができる。
【００１５】
次に、バックライト２４を用いて、小さな被写体を近い位置で撮影するマクロ撮影を行う場合におけるデジタルカメラ２の操作手順について説明する。まず、操作者は、液晶モニタ６が筐体４の背面に収納されている状態において（図１（ａ）、（ｂ）参照）、図４に示すように、縦方向部材４４を時計廻りに回動させ、バックライト２４を液晶モニタ６から取り外す。
【００１６】
次に、図５に示すように、Ｌ字回動部材３６を介して可動部材１０をガイド軸３０廻りに略１８０°左方向に回動させ、バックライト２４が開閉機構８を挟んで液晶表示部２２の反対側に来るように移動させる。
【００１７】
操作者は、更に、取付軸４０廻りに横方向部材４２を回動させ、デジタルカメラ２を上側から視た場合に図６に示す状態になるように、横方向部材４２を筐体４の側面に近接する位置まで折り曲げる。これにより、バックライト２４が撮影レンズ１６の前方の位置に移動する。
【００１８】
次に、操作者は、撮影モードをマクロモードに移行させる操作を行って表示画面５にスルー画像を表示させると共に、デジタルカメラ２を被写体に近づける。なお、バックライト２４が液晶モニタ６から取外されている場合、図６に示すように、液晶表示部２２に入射した自然光が液晶表示部２２を透過して反射膜２６ａで反射され、反射膜２６ａで反射した反射光によって液晶表示部２２に所定の明度が確保される。このため、操作者は、バックライト２４を液晶モニタ６から取外した場合においても、表示画面５に表示されているスルー画像を視認することができる。
【００１９】
次に、操作者は、表示画面５に表示されているスルー画像を観察しながら、適切に被写体を撮影できるようにデジタルカメラ２の位置を合わせる。また、図７に示すように、水平回動軸４８廻りにバックライト２４を回動させ、バックライト２４から発光される照明光で被写体５０を適切に照明することができるようにバックライト２４の角度を調整する。次に、操作者は、レリーズボタン２０を操作して、照明光により照明された状態の被写体５０を撮影する。
【００２０】
この実施の形態に係るデジタルカメラ２によれば、マクロ撮影を行う場合において、バックライト２４から発光される照明光で被写体を照明し、反射膜２６ａからの反射光で表示画面５の明度を確保するため、表示画面５に表示された被写体像を視認しながら適切に被写体を照明することができる。また、バックライト２４を撮影レンズ１６の前方の位置に移動するため、照明光が撮影レンズ１６に遮られず、適切な光量で被写体を照明することができる。このため、操作者は、被写界深度を深くするために絞り値を大きくする場合等において、照明光の光量不足を心配することなくマクロ撮影を行うことができる。また、マクロ撮影を行う際に用いられる照明用のアクセサリーであるマクロリング等を使用することなく容易にマクロ撮影を行うことができる。
【００２１】
なお、上述の実施の形態において、バックライト２４を液晶モニタ６から取り外した場合、図８に示すように、スライド機構２８により液晶表示部２２を筐体４側にスライドさせ、反射部２６に近接させるようにしてもよい。これにより、液晶モニタ６からバックライト２４を取り外した場合において、液晶表示部２２と反射部２６との間に隙間ができることを防止し、隙間に塵等の異物が侵入しないようにすることができる。また、液晶表示部２２と反射部２６との間の隙間をなくすことにより、液晶モニタ６を動かしやすくすることができる。
【００２２】
また、上述の実施の形態において、スライド機構２８により反射部２６を筐体４の前後方向にスライドさせ、反射部２６を液晶表示部２２に近接または離間させるようにしてもよい。
【００２３】
また、上述の実施の形態においては、マクロ撮影を行う場合を例に説明しているが、通常の撮影モードにおいてバックライト２４を撮影レンズ１６の前方の位置に移動させ、バックライト２４から発光される照明光を用いて被写体を撮影するようにしてもよい。
【符号の説明】
【００２４】
２…デジタルカメラ、４…筐体、５…表示画面、６…液晶モニタ、８…開閉機構、１０…可動部材、１６…撮影レンズ、２０…レリーズボタン、２２…液晶表示部、２４…バックライト、２６…反射部、２６ａ…反射膜
【図１】
2014042155.tif 000003
【図２】
2014042155.tif 000004
【図３】
2014042155.tif 000005
【図４】
2014042155.tif 000006
【図５】
2014042155.tif 000007
【図６】
2014042155.tif 000008
【図７】
2014042155.tif 000009
【図８】
2014042155.tif 000010